(57)【要約】【課題】セットサイズの小型化を図ると共に、サイド操作キーの操作性を向上させたサイド部レイアウトを実現することができる携帯端末装置を提供する。【解決手段】キー側筐体１０と、キー側筐体１０の内部に収納されるメイン基板１９と、キー側筐体１０の側部に配置されるサイド操作キー１３と、キー側筐体１０の側部に沿って配置され、サイド操作キー１３をキー側筐体１０内部で支持するサイドキー用リブ２３と、キー側筐体１０に形成された開口部に対向してキー側筐体１０内部に収納されて、外部端子と接続可能な外部コネクタ１１とを有し、外部コネクタ１１は、メイン基板１９の厚さ方向でサイドキー用リブ２３と重ねて配置される。【選択図】図１
2008131497.tif 000002
【特許請求の範囲】
【請求項１】
筐体と、
前記筐体の内部に収納される回路基板と、
前記筐体の側部に配置されるサイド操作キーと、
前記筐体の側部に沿って配置され、前記サイド操作キーを前記筐体内部で支持するキー支持部と、
前記筐体に形成された開口部に対向して前記筐体内部に収納されて、外部端子と接続可能な外部コネクタとを有し、
前記外部コネクタは、前記回路基板の厚さ方向で前記キー支持部と重ねて配置されることを特徴とする携帯端末装置。
【請求項２】
前記外部コネクタは、前記回路基板に対向して配置されることを特徴とする請求項１に記載の携帯端末装置。
【請求項３】
前記回路基板は、前記外部コネクタが対向する部位に電子部品が実装されて構成されていることを特徴とする請求項２に記載の携帯端末装置。
【請求項４】
前記外部コネクタは、前記回路基板との間に配置されるコネクタ支持部品を有し、当該コネクタ支持部品を介して前記回路基板上に支持され、
前記コネクタ支持部品が、前記キー支持部と前記厚さ方向で重ねて配置されることを特徴とする請求項２または３に記載の携帯端末装置。
【請求項５】
前記外部コネクタは、前記回路基板とは異なる第２の回路基板上に実装され、
前記第２の回路基板が、前記キー支持部と前記厚さ方向で重ねて配置されることを特徴とする請求項１から４のいずれか一項に記載の携帯端末装置。
【請求項６】
前記第２の回路基板は、フレキシブルプリント配線板にて構成されるとともに、前記回路基板に電気的に接続されていることを特徴とする請求項５に記載の携帯端末装置。
【請求項７】
前記外部コネクタは、前記開口部に対向する接続口の基板側端部が前記キー支持部の上端部と厚さ方向で一致するように前記筐体内に配置されていることを特徴とする請求項１から６のいずれか一項に記載の携帯端末装置。
【発明の詳細な説明】
【技術分野】
【０００１】
本発明は、携帯端末装置に関し、特に、外部コネクタ及びサイド操作キーを備えた携帯端末装置に関する。
【背景技術】
【０００２】
従来、筐体側面に、外部コネクタ及びサイド操作キーを備えた、携帯電話機等の携帯端末装置が知られている。
図１０は、従来の携帯端末装置のキー側筐体の一例を示す斜視図である。図１０に示すように、携帯端末装置のキー側筐体１には、筐体の一方の側面１ａに、外部メモリ２が挿入される外部コネクタ３の挿入口３ａと、その側方に離間してサイドキー４が配置されている。
【０００３】
このように、従来の携帯端末装置においては、外部コネクタ３及びサイドキー４は、それぞれ筐体側面の別の面に、或いは同一の面でも筐体内部レイアウトの関係から離れた位置に（図１０参照）、配置されていることが多い。
従来の携帯端末装置である、例えば、「撮像装置」（特許文献１参照）には、筐体側面に、サイドキーとイヤホンコネクタを筐体長手方向に並べて配置した構成が開示されている。
【特許文献１】特開２００６−１０８９８２号公報
【発明の開示】
【発明が解決しようとする課題】
【０００４】
しかしながら、従来の携帯端末装置のように、外部コネクタ３及びサイドキー４が、筐体の別の面、或いは同一の面でも離れた位置に配置される場合、携帯端末装置の筐体側面配置構成（サイド部レイアウト）に制限が生じてしまうのが避けられない。サイド部レイアウトに制限が生じると、携帯端末装置の大型化（セットサイズ増大化）につながるので、セットサイズの小型化を図ることができない。このことは、サイドキー４を操作し難い場所に配置せざるを得ない状況も生じさせるので、サイドキー操作性の悪化をもたらす虞もある。
本発明の目的は、セットサイズの小型化を図ると共に、サイドキーの操作性を向上させたサイド部レイアウトを実現することができる携帯端末装置を提供することである。
【課題を解決するための手段】
【０００５】
上記目的を達成するため、本発明に係る携帯端末装置は、筐体と、前記筐体の内部に収納される回路基板と、前記筐体の側部に配置されるサイド操作キーと、前記筐体の側部に沿って配置され、前記サイド操作キーを前記筐体内部で支持するキー支持部と、前記筐体に形成された開口部に対向して前記筐体内部に収納されて、外部端子と接続可能な外部コネクタとを有し、前記外部コネクタは、前記回路基板の厚さ方向で前記キー支持部と重ねて配置されることを特徴としている。
また、本発明は、前記外部コネクタが、前記回路基板に対向して配置されることが好ましい。
また、本発明は、前記回路基板が、前記外部コネクタが対向する部位に電子部品が実装されて構成されていることが好ましい。
【０００６】
また、本発明は、前記外部コネクタが、前記回路基板との間に配置されるコネクタ支持部品を有し、当該コネクタ支持部品を介して前記回路基板上に支持され、前記コネクタ支持部品が、前記キー支持部と前記厚さ方向で重ねて配置されることが好ましい。
また、本発明は、前記外部コネクタが、前記回路基板とは異なる第２の回路基板上に実装され、前記第２の回路基板が、前記キー支持部と前記厚さ方向で重ねて配置されることが好ましい。
また、本発明は、前記第２の回路基板は、フレキシブルプリント配線板にて構成されるとともに、前記回路基板に電気的に接続されていることが好ましい。
また、本発明は、前記外部コネクタが、前記開口部に対向する接続口の基板側端部が前記キー支持部の上端部と厚さ方向で一致するように前記筐体内に配置されていることが好ましい。
【発明の効果】
【０００７】
本発明によれば、セットサイズの小型化を図ると共に、サイドキーの操作性を向上させたサイド部レイアウトを実現することができる。
【発明を実施するための最良の形態】
【０００８】
以下、本発明を実施するための最良の形態について図面を参照して説明する。
図１は、本発明の一実施の形態に係る携帯端末装置の一例としての携帯電話機におけるキー側筐体の斜視図である。図２は、図１の部分拡大図である。図１及び図２に示すように、携帯電話機のキー側筐体（筐体）１０には、筐体の一方の側面１０ａに形成されて外部コネクタ１１の接続口に連通する開口部を開可能に塞ぐ蓋体（カバー部）１２と、サイド操作キー１３が配置されている。外部コネクタ１１は、外部接続を行うコネクタであり、例えば、外部メモリカードが装着されるメモリカードコネクタ、イヤホンケーブルの接続端子が接続されるイヤホンケーブルコネクタ、或いは充電ケーブルの接続端子が接続される充電ケーブルコネクタ等として機能するものであり、本実施形態では、メモリカードコネクタが設けられている。
【０００９】
キー側筐体１０は、キー側筐体１０の一端部に設けられたヒンジ部１４を介して取り付けられた、表示器側筐体（図示しない）と共に、折り畳み式の携帯電話機を構成している。このキー側筐体１０は、キーフロントケース１５とキーリアケース１６を重ね合わせて構成され、キーフロントケース１５には、各種操作キーの操作状態を検出する、例えば、メタルドームシートにより形成されたキー検出装置（図示しない）が装着されている。
蓋体１２とサイド操作キー１３は、重ね合わせたキーフロントケース１５とキーリアケース１６の両側面からなる、キー側筐体１０の一方の側面（側部）１０ａの、筐体厚さ方向に並べて、即ち、キー側筐体１０の長手方向（筐体長手方向）の同一位置に、配置されている。
【００１０】
このキー側筐体１０の一方の側面１０ａには、外部コネクタ１１であるメモリカードコネクタのメモリカード（外部端子）の挿入口（接続口）１１ａに対向して該挿入口を筐体外部に連通させるための開口部１２ａが形成されており、この開口部を塞ぐようにキーリアケース１６に配設される蓋体１２は、キー側筐体１０の一方の側面１０ａの筐体長手方向略中央で、一方の側面１０ａと、キー側筐体１０の操作キー配置面（図示しない）の反対側面である外表面１０ｂとが交差する、キー側筐体１０の外表面稜線部１０ｃに位置している。この蓋体１２は、外表面稜線部１０ｃが形成するＲ面形状を有している。
サイド操作キー１３は、筐体長手方向に延びる横長板体状に形成されており、蓋体１２の筐体厚さ方向下側、即ち、一方の側面１０ａの筐体長手方向略中央であり、外部コネクタ１１の筐体長手方向の配置位置と略同じ位置で、操作キー配置面側に、位置している。
【００１１】
図３は、図１のキー側筐体の内部構造を示す斜視図である。図３では、キーリアケース１６を外して、キーフロントケース１５の内面側を露出させた状態を示している。図４は、図３の部分拡大図である。
図３に示すように、キー側筐体１０の内部、即ち、キー側筐体１０を構成するキーフロントケース１５の内面側には、キーフロントケース１５に重ね合わされるキーリアケース１６側に向かって、即ち、図中、下側から順番に、操作キー（図示しない）、キー検出装置（図示しない）とフレキシブルプリント配線板（Ｆｌｅｘｉｂｌｅ  Ｐｒｉｎｔｅｄ  Ｃｉｒｃｕｉｔ：ＦＰＣ）とを有して構成されるフレキシブル基板（第２の回路基板）１７、シールドケース１８、及びメイン基板（回路基板）１９が層状に積み重ねられている。
【００１２】
メイン基板１９は、キーフロントケース１５側（図３中の下側）の実装面とキーリアケース１６側（図３中の上側）の実装面との両実装面に各種電子部品が実装されており、外部コネクタが対向する部位にも電子部品が実装されるとともに、キーフロントケース１５のヒンジ１４側略半分の領域を占めてキー側筐体１０の内部に収容されて配置されている。また、キーフロントケース１５の残りの領域には、バッテリ（図示しない）が収納される。
また、メイン基板１９には、図５に示されるように、キーフロントケース１５側の実装面を被覆するシールドケース１８が結合されている。このシールドケース１８は、メイン基板１９のキーフロントケース１５側の実装面に実装されている電子部品に対して外部からの電磁波が影響するのを抑制したり、当該電子部品からの電磁波の外部への輻射を抑制するものであり、板金部材などにより形成されている。
【００１３】
図６は、図３及び図５に示されるシールドケース１８の斜視図であり、このシールドケース１８は、図５及び図６に示されるように、メイン基板１９に対向した部位から筐体長手方向の他方側のバッテリ収納部に対向する位置まで延設されるように形成されており、メイン基板１９が装着される板体部１８ａと、バッテリが収納される枠体部１８ｂを有して構成されている。
板体部１８ａには、サイド操作キー１３の配置位置に対向した側面側の位置に板体部１８ａに対して略垂直方向（キー側筐体１０の筐体厚さ方向）に延びるように形成された縦壁状のサイドキー用リブ（キー支持部）２３が一体構成によって設けられている。このサイドキー用リブ２３は、サイド操作キー１３よりも若干大きく構成されている。
【００１４】
図３乃至図５に示されるように、メイン基板１９のヒンジ１４側の反対側、即ち、キーフロントケース１５の長手方向略中央で、キーフロントケース１５の一方の側面側に寄せて、サイドキー用リブ２３の筐体中央側に外部コネクタ１１が隣設されているこの外部コネクタ１１は、コネクタ装着基板部１７ｃ上に実装されており、コネクタ装着基板部１７ｃと電気的に接続されている。また、サイドキー用リブ２３のサイド操作キー１３に対向する表面２３ａには、キースイッチ基板部１７ｂと当該キースイッチ基板部１７ｂ上に実装されるサイドキースイッチ（メタルドーム）２０ａ，２０ｂとを有して構成されるサイドキースイッチ部２０が配設されており、サイドキースイッチ２０ａ，２０ｂはキースイッチ基板部１７ｂと電気的に接続されている。
図３及び図４に示すように、２個のサイドキースイッチ２０ａ，２０ｂが、キーフロントケース１５の長手方向に並んで配置されている。これら両サイドキースイッチ２０ａ，２０ｂを覆うように、サイド操作キー１３がキー側筐体１０の一方の側面１０ａに配設されており（図１，２参照）、サイド操作キー１３の両端をそれぞれ押圧することにより、各サイドキースイッチ２０ａ，２０ｂを介してスイッチ操作することができる。外部コネクタ１１のメモリカード挿入口１１ａから外部コネクタ１１の内部に外部メモリカード２１が挿入可能とされている。
【００１５】
図７は、図３に示す、外部コネクタ１１が実装されるコネクタ装着基板部１７ｃとサイドキースイッチが実装されるキースイッチ基板部１７ｂとを有して構成されるフレキシブル基板１７の斜視図である。図７に示すように、外部コネクタ１１と両サイドキースイッチ２０ａ，２０ｂは、何れもフレキシブル基板１７に、即ち、同一の基板に実装されている。フレキシブル基板１７は、薄い可撓性板体からなり、シールドケース１８のキーフロントケース１５に対向する側の表面上に配設されて、キー検出手段（図示しない）のメタルドームが実装された長方形状の基板部１７ａと、基板部１７ａの一方の長辺に連続するキースイッチ基板部１７ｂと、キースイッチ基板部１７ｂの上端辺に連続するコネクタ装着基板部（コネクタ支持部品）１７ｃを有し、これら基板部１７ａ，１７ｂ，１７ｃが一体的に構成されている。
【００１６】
図８は、サイドキースイッチ２０ａ，２０ｂの配置位置での筐体幅方向における要部断面概略図であり、同図に示されるように、キースイッチ基板部１７ｂは、外部コネクタ配置部分に対応する位置に、基板部１７ａに略直交して基板部１７ａ表面上方に延びる、基板部１７ａの長手方向に沿う長方形板状体に形成されている。コネクタ装着基板部１７ｃは、基板部１７ａ表面上方に離間して基板部１７ａと略平行に位置する矩形板状体に形成されており、基板部１７ａの上面で、メモリ挿入口１１ａを外側（筐体の側面側）に向けて、外部コネクタ１１が載置（実装）されている。このコネクタ装着基板部１７ｃのヒンジ部１４（図３参照）側には、コネクタ装着基板部１７ｃに沿って突出するメイン基板接続用コネクタ２２が形成されている。
【００１７】
なお、図７に示されるように、キースイッチ基板部１７ｂは、筐体長手方向の一方側（ヒンジ部１４側）にて基板部１７ａとコネクタ装着基板部１７ｃとに連通されており、これら基板部１７ａ，１７ｂ，１７ｃが電気的に接続されている。また、図５及び図６に示されるように、サイドキー用リブ２３は、筐体長手方向の一方側における筐体厚さ方向の長さ（高さ）が筐体長手方向他方側よりも短く（低く）なるように形成されている。よって、キースイッチ基板部１７ｂもサイドキー用リブ２３の形状に合わせて、筐体長手方向の一方側における筐体厚さ方向の長さ（高さ）が筐体長手方向他方側よりも短く（低く）なるように形成されている。
【００１８】
そして、図８の概略断面図に示されるように、フレキシブル基板１７の基板部１７ａの上面と、外部コネクタ１１が載置されたコネクタ装着基板部１７ｃの下面との間には、離間空間が形成されることになり、基板部１７ａからコネクタ装着部１７ｃ迄の間隔内に、両サイドキースイッチ２０ａ，２０ｂが配置されている。
そして、キースイッチ基板部１７ｂを縦置き状態に支持するサイドキー用リブ２３は、キースイッチ基板部１７ｂと略同一の形状を有し、フレキシブル基板１７の基板部１７ａとコネクタ装着基板部１７ｃとは、図８に示されるように、筐体厚さ方向でサイドキー用リブ２３と重なるように配設されている。
【００１９】
なお、図５は、図６に示されるシールドケースとメイン基板１９の装着部分の分解構成を概念的に示す斜視説明図である。図９は、図５のメイン基板装着部分の分解構成を拡大して概念的に示す説明図である。図５及び図９に示すように、メイン基板１９のキーリアケース１６に対向する実装面１９ａ上には各種電子部品が実装されるとともに、サイドキー用リブ２３に隣設される位置に、コネクタ装着基板部１７ｃに実装される外部コネクタ１１を支持する固定台が固設されている。そして、シールドケース１８の板体部１８ａにメイン基板１９を装着した後、メイン基板１９に装着されている固定台２４の上面に、板体部１８ａの上面（図９の下面）に配設されているフレキシブル基板１７の基板部１７ａに連設されているコネクタ装着基板部１７ｃを載置して、メイン基板接続用コネクタ２２がメイン基板１９と接続されることにより、コネクタ装着基板部１７ｃがメイン基板１９に固定される。
【００２０】
コネクタ装着基板部１７ｃは、キーフロントケース１５にフレキシブル基板１７、シールドケース１８及びメイン基板１９を装着する際に、基板部１７ａとコネクタ装着基板部１７ｃの間にシールドケース１８及びメイン基板１９が位置するように、コネクタ装着基板部１７ｃをメイン基板１９の上方に露出させている（図３，５参照）。そして、キースイッチ基板部１７ｂは、サイドキー用リブ２３の外側に位置し、サイドキー用リブ２３に縦置き状態に支持される（図３，８参照）。なお、フレキシブル基板１７は、メイン基板接続用コネクタ２２を介してメイン基板１９に接続される。
【００２１】
つまり、外部コネクタ１１は、メイン基板１９との間に配置されるコネクタ装着基板部１７ｃを有し、コネクタ装着基板部１７ｃを介してメイン基板１９上に支持され、コネクタ装着基板部１７ｃが、サイドキー用リブ２３と筐体厚さ方向で重ねて配置されている。従って、サイド操作キー１３と外部コネクタ１１とを筐体長手方向の同じ位置に配置する構成としても、筐体構成が厚さ方向に拡大されるのを抑制でき、筐体の薄型化（小型化）を図ることができる。また、フレキシブル基板１７のコネクタ装着基板部１７ｃとメイン基板１９が重なって配置される箇所にも、部品を実装することができ、実装した部品とコネクタ装着基板部１７ｃにより形成される高さ部分にサイド操作キー１３を配置することができ、装置の小型化を図ることができる。
また、外部コネクタ１１は、筐体の開口部に対向するメモリカード挿入口１１ａの基板側端部（図８の下端部）がサイドキー用リブ２３の上端部と厚さ方向で一致するように筐体内に配置されており、一層の薄型化が図られる構成となっている。
【００２２】
このように、外部コネクタ１１の一部として構成されるコネクタ装着基板部１７ｃと両サイドキースイッチ２０ａ，２０ｂとサイド操作キー１３とを支持するサイドキー用リブ２３とは、キー側筐体１０の内部に筐体厚さ方向に重ねた状態で配置されており、外部コネクタ１１のメモリ挿入口１１ａとサイド操作キー１３は、キー側筐体１０の一方の側面１０ａの筐体長手方向略同一場所に、筐体厚さ方向に並んで位置している（図３参照）。即ち、外部コネクタ１１は、メイン基板１９の厚さ方向でサイドキー用リブ２３と重ねて配置されている。
これにより、フレキシブル基板１７に、外部コネクタ１１と両サイドキースイッチ２０ａ，２０ｂを搭載し、外部コネクタ１１とサイドキー用リブ２３とを筐体厚さ方向に重ね合せることにより、サイド操作キー１３と外部コネクタ１１を、キー側筐体１０の同一面（一方の側面）に近接配置することができるので、携帯端末装置のセットサイズの小型化を実現することができる。また、上記構成を有することにより、サイドキースイッチのレイアウト上の制限が緩和されるので、操作性の良い位置にサイド操作キー１３を配置することができる。
【００２３】
つまり、フレキシブル基板１７に、外部コネクタ１１と両サイドキースイッチ２０ａ，２０ｂを配置することで、レイアウト制限が緩和される。また、フレキシブル基板１７のサイドキースイッチ配置箇所の自由度が増し、操作性の良い位置にサイドキースイッチを配置することが可能になる。また、メイン基板１９とコネクタ装着基板部１７ｃとを間隙を設けて重ねて配置することで、メイン基板１９のレイアウト制限を緩和することができる。更に、フレキシブル基板１７とメイン基板１９を重ねて配置して形成された筐体厚さ方向部分に、サイド操作キー１３を配置したので、スペースを有効利用することができる。
なお、本発明は、上述した実施の形態により説明したが、この実施の形態に限定されるものではない。従って、本発明の趣旨を逸脱することなく変更態様として実施するものも含むものである。例えば、携帯電話機以外の携帯端末装置にも適用することができる。
【図面の簡単な説明】
【００２４】
【図１】本発明の一実施の形態に係る携帯端末装置のキー側筐体の斜視図である。
【図２】図１の部分拡大図である。
【図３】図１のキー側筐体の内部構造を示す斜視図である。
【図４】図３の部分拡大図である。
【図５】シールドケースとメイン基板の装着部分の分解構成を概念的に示す斜視説明図である。
【図６】図３のシールドケースの斜視図である。
【図７】図３に示す、外部コネクタとサイドキースイッチが実装されるフレキシブル基板の斜視図である。
【図８】図４に示されるキー側筐体の内部構造における断面概略図である。
【図９】図７のメイン基板装着部分の分解構成を拡大して概念的に示す説明図である。
【図１０】従来の携帯端末装置のキー側筐体の一例を示す斜視図である。
【符号の説明】
【００２５】
１０  キー側筐体
１０ａ  一方の側面
１０ｂ  外表面
１０ｃ  外表面稜線部
１１  外部コネクタ
１１ａ  メモリ挿入口
１２  蓋体
１３  サイド操作キー
１４  ヒンジ部
１５  キーフロントケース
１６  キーリアケース
１７  フレキシブル基板
１７ａ  基板部
１７ｂ  キースイッチ基板部
１７ｃ  コネクタ装着基板部
１８  シールドケース
１８ａ  板体部
１８ｂ  枠体部
１９  メイン基板
２０ａ，２０ｂ  サイドキースイッチ
２１  外部メモリ
２２  メイン基板接続用コネクタ
２３  サイドキー用リブ
２４  固定台
【図１】
2008131497.tif 000003
【図２】
2008131497.tif 000004
【図３】
2008131497.tif 000005
【図４】
2008131497.tif 000006
【図５】
2008131497.tif 000007
【図６】
2008131497.tif 000008
【図７】
2008131497.tif 000009
【図８】
2008131497.tif 000010
【図９】
2008131497.tif 000011
【図１０】
2008131497.tif 000012